(57)【要約】【課題】印刷装置の移動に合わせて実行される印刷において、印刷開始位置を容易な操作で直感的に設定できる印刷装置を提供する。【解決手段】印刷装置１は、印刷媒体Ｍ上における自装置の移動に合わせて印刷媒体Ｍに印刷対象の画像を印刷する印刷装置である。印刷装置１は、筐体１００と、印刷部１０２と、案内手段１０３と、を備える。筐体１００は互いに対向する上面１００ａと下面１００ｂを有し、印刷部１０２は、筐体１００の下面１００ｂに設けられ、印刷媒体Ｍに印刷対象の画像を印刷する。案内手段は上面１００ａにおける印刷部１０２の真上となる位置に配置されて、印刷部１０２の位置を表している。【選択図】図１
2018051861.tif 000002
【特許請求の範囲】
【請求項１】
上面と、前記上面に対向する下面とを有する筐体と、
前記筐体の前記下面に設けられ、印刷媒体に画像を印刷する印刷部と、
前記筐体の前記上面における前記印刷部の真上となる位置に配置されて、前記印刷部の位置を表す案内手段と、
を備えることを特徴とする印刷装置。
【請求項２】
前記案内手段は、前記下面における前記印刷部の位置及び前記印刷部の大きさを表すように形成された案内部を有し、
前記案内部は、前記案内部の前記上面に沿った面での中心が前記印刷部の前記下面に沿った面での中心の真上となる位置に設けられていることを特徴とする請求項１に記載の印刷装置。
【請求項３】
前記案内部は、前記上面に配置されている、押しボタン、マーク、突起及びインジケータの何れかであることを特徴とする請求項２に記載の印刷装置。
【請求項４】
前記案内手段は、前記印刷部の長さ方向に沿って直線状に配列された複数の光源を有する発光部を備え、
前記発光部の前記複数の光源の各々は、前記画像の、前記印刷媒体における印刷時のサイズ及び印刷時の位置を表すように発光が制御されることを特徴とする請求項１乃至３の何れか一項に記載の印刷装置。
【請求項５】
前記案内手段は、前記下面における前記印刷部の位置及び前記印刷部の大きさを表す第１の案内画像を表示する表示部を有し、
前記第１の案内画像は、前記第１の案内画像の前記上面に沿った面での中心が前記印刷部の前記下面に沿った面での中心の真上となる位置に表示されることを特徴とする請求項１に記載の印刷装置。
【請求項６】
前記表示部は、前記画像の、前記印刷媒体における印刷時の大きさ及び印刷時の位置を表す第２の案内画像をさらに表示することを特徴とする請求項５に記載の印刷装置。
【発明の詳細な説明】
【技術分野】
【０００１】
本発明は、印刷装置に関する。
【背景技術】
【０００２】
印刷媒体上における自装置の移動に合わせて印刷媒体に印刷対象の画像を印刷する印刷装置が知られている。
【０００３】
例えば、特許文献１には、ユーザが手に持って印刷媒体上で動かすと、この印刷媒体に画像を印刷するハンドヘルドプリンタが開示されている。
【先行技術文献】
【特許文献】
【０００４】
【特許文献１】特開２００８−０９４１０１号公報
【発明の概要】
【発明が解決しようとする課題】
【０００５】
特許文献１に記載されたハンドヘルドプリンタを用いて印刷する場合、印刷を実行する印刷ヘッドが印刷媒体上の所望の位置に配置されるように、ユーザが当該ハンドヘルドプリンタを印刷媒体上に載置した後、印刷を開始させることによって、印刷媒体に印刷を行う。しかしながら、特許文献１に記載されているようなハンドヘルドプリンタでは、印刷ヘッドが、本体であるポータブルハウジングの印刷媒体に接触する面に設けられている。このため、このようなハンドヘルドプリンタを印刷媒体上に載置した際、印刷ヘッドはポータブルハウジングによって隠されてしまっているため、ユーザは、印刷媒体上における印刷ヘッドの配置を把握し難い構造となっていた。従って、このようなハンドヘルドプリンタを用いて印刷する場合、印刷媒体の所望の位置に印刷を行うことが困難であった。
【０００６】
本発明は、上記の事情に鑑みてなされたものであり、印刷装置の移動に合わせて実行される印刷において、印刷開始位置を容易な操作で直感的に設定できる印刷装置を提供することを目的とする。
【課題を解決するための手段】
【０００７】
上記目的を達成するため、本発明に係る印刷装置は、
上面と、前記上面に対向する下面とを有する筐体と、
前記筐体の前記下面に設けられ、印刷媒体に画像を印刷する印刷部と、
前記筐体の前記上面における前記印刷部の真上となる位置に配置されて、前記印刷部の位置を表す案内手段と、
を備えることを特徴とする。
【発明の効果】
【０００８】
本発明によれば、印刷装置の移動に合わせて実行される印刷において、印刷開始位置を容易な操作で直感的に設定できる印刷装置を提供できる。
【図面の簡単な説明】
【０００９】
【図１】本発明の第１実施形態に係る印刷装置の外観を示す図である。
【図２】本発明の第１実施形態に係る印刷装置の下面図である。
【図３】（ａ）は、本発明の第１実施形態に係る印刷装置の上面図の一例である。（ｂ）は、本発明の第１実施形態に係る印刷装置の上面図の他の例である。
【図４】（ａ）及び（ｂ）は、何れも、本発明の第１実施形態に係る印刷装置を用いた印刷において印刷開始ボタンが果たす機能を説明するための上面図である。（ａ）は、印刷開始位置の設定を示す上面図である。（ｂ）は、印刷動作を示す上面図である。
【図５】（ａ）及び（ｂ）は、何れも、本発明の第１実施形態に係る印刷装置を用いた印刷において印刷開始ボタンが果たす機能を説明するための斜視図である。（ａ）は、印刷開始位置の設定を示す斜視図である。（ｂ）は、印刷動作を示す斜視図である。
【図６】本発明の第１実施形態に係る印刷装置の物理的構成を示す図である。
【図７】本発明の第１実施形態に係る印刷装置が実行する印刷処理を説明するためのフローチャートである。
【図８】本発明の第２実施形態に係る印刷装置の上面図である。
【図９】本発明の第２実施形態に係る印刷装置が備える発光部の機能を説明するための図である。
【図１０】（ａ）及び（ｂ）は、何れも、本発明の第２実施形態に係る印刷装置を用いた印刷において印刷開始ボタンが果たす機能を説明するための上面図である。（ａ）は、印刷開始位置の設定を示す上面図である。（ｂ）は、印刷動作を示す上面図である。
【図１１】（ａ）は、本発明の第３実施形態に係る印刷装置の上面図の一例である。（ｂ）は、本発明の第３実施形態に係る印刷装置の上面図の他の例である。
【図１２】（ａ）及び（ｂ）は、何れも、本発明の第３実施形態に係る印刷装置を用いた印刷において表示部に表示された画像が果たす機能を説明するための上面図である。（ａ）は、印刷開始位置の設定を示す上面図である。（ｂ）は、印刷動作を示す上面図である。
【発明を実施するための形態】
【００１０】
（第１実施形態）
以下、本発明の第１実施形態に係る印刷装置について、図面を参照しながら説明する。図中、互いに同一又は同等の構成には、互いに同一の符号を付す。
【００１１】
図１に示す印刷装置１は、ユーザが把持して印刷媒体Ｍ上を移動させることが可能であり、当該移動に合わせて印刷媒体Ｍに印刷対象の画像を印刷することが可能な、手動走査型の印刷装置である。手動走査型の印刷装置は、ハンディプリンタ、ハンドヘルドプリンタ又はハンドヘルドポータブルプリンタ等と呼ばれることもある。
【００１２】
印刷対象の画像は、印刷時に印刷媒体Ｍに印刷される画像である。印刷対象の画像は、印刷画像又は印刷パターン等と呼ばれることもある。印刷対象の画像の具体例としては、文字、図形、記号、模様、絵又はこれらの組み合わせ等が挙げられる。
【００１３】
印刷媒体Ｍは、印刷時に印刷対象の画像が印刷される対象物である。印刷媒体Ｍは、被印刷媒体、記録媒体又は印刷対象物等と呼ばれることもある。印刷媒体Ｍの具体例としては、紙、布、合成樹脂、段ボール、箱又は瓶等が挙げられる。手動走査型の印刷装置である印刷装置１は、印刷媒体Ｍを搬送しつつ印刷する据置型の印刷装置に比べて、より多様な印刷媒体Ｍに印刷できる。すなわち、印刷装置１は、搬送が容易な紙等の印刷媒体Ｍに据置型の印刷装置と同様に印刷できるのみならず、搬送が困難な材質又は形状を有するため据置型の印刷装置では印刷が困難な布、合成樹脂、段ボール、箱又は瓶等の印刷媒体Ｍにも印刷できる。
【００１４】
ユーザが印刷時に印刷装置１を移動させる方向を、印刷方向と呼ぶ。印刷方向は、副走査方向や移動方向等とも呼ばれる。なお、理解を容易にするため、図１に示すｘｙｚ座標軸を設定する。以下、ユーザがｘ軸方向を印刷方向として印刷装置１を移動させる場合を例に説明する。また、以下、ｙ軸方向を奥、ｚ軸方向を上と呼ぶ。
【００１５】
印刷装置１は、図１に示すように、ユーザによって把持される筐体１００と、印刷媒体Ｍ上における、印刷媒体Ｍに対する印刷装置１の移動量を検出する移動量検出部１０１と、印刷を実行する印刷部１０２と、を備えている。
【００１６】
筐体１００は、印刷装置１の本体に相当し、ユーザが把持しやすいように直方体状に形成されている。筐体１００は、上面１００ａと、下面１００ｂと、を有している。なお、筐体１００は、直方体状に限らず任意の形状を有することができる。例えば、筐体１００は、半球状に形成されていてもよい。
【００１７】
下面１００ｂには、図２に示すように、移動量検出部１０１と印刷部１０２とが配置されている。移動量検出部１０１は、下面１００ｂに設けられた第１開口部１００ｃを通じて筐体１００の外部へ露出している。印刷部１０２は、下面１００ｂに設けられた第２開口部１００ｄを通じて筐体１００の外部へ露出している。
【００１８】
移動量検出部１０１は、レーザ式光学センサを備えており、印刷装置１の印刷媒体Ｍに対する移動量を検出する。具体的に、レーザ式光学センサは、印刷媒体Ｍの表面へレーザ光を照射し、印刷媒体Ｍの表面で反射されたレーザ光により形成される干渉縞をイメージセンサによって撮像する。レーザ式光学センサは、撮像した干渉縞を解析することによって、印刷装置１の移動量を検出する。
【００１９】
印刷部１０２は、微滴化したインクを印刷媒体Ｍへ吐出するインクジェット方式により、印刷対象の画像を印刷媒体Ｍに印刷する。具体的に、印刷部１０２は、何れも図示しない複数のインクノズルを備えている。インクノズルには、図示しないインクタンクから供給されたインクが充填されている。そして、印刷部１０２は、例えば、サーマル方式のインクジェットであり、インクノズル内のインクがヒータによって加熱されて気泡が生じ、この気泡が破裂することによってインクノズルから印刷媒体Ｍへインクが吐出され、印刷が実行される。なお、印刷部１０２はピエゾ方式を有し、ピエゾ素子を用いてインクを吐出するインクジェットであってもよい。
【００２０】
印刷部１０２は、印刷対象の画像を様々な印刷幅で印刷できる。印刷幅は、印刷対象の画像のｙ軸方向の長さである。また、印刷部１０２は、印刷対象の画像を様々な印刷位置に印刷できる。例えば、印刷部１０２は、印刷部１０２の奥側端部と印刷対象の画像の奥側端部とが一致する印刷位置に印刷対象の画像を印刷する「上寄せ印刷」を実行できる。また、印刷部１０２は、印刷部１０２の手前側端部と印刷対象の画像の手前側端部とが一致する印刷位置に印刷対象の画像を印刷する「下寄せ印刷」を実行できる。印刷部１０２のｙ軸方向の長さＬｂは、一度の移動で印刷部１０２が印刷対象の画像を印刷できるｙ軸方向の範囲に相当する。
【００２１】
上面１００ａは、下面１００ｂに対向する面である。上面１００ａには、図３に示すように、印刷開始ボタン１０３が配置されている。印刷開始ボタン１０３は、ユーザによる印刷開始の指示操作を受け付けるスイッチをなす押しボタンであり、ユーザにより押下されたときに印刷開始が指示される。印刷開始ボタン１０３は、例えば上面１００ａより上部に突出した形状を有している。印刷開始ボタン１０３は、例えば、図３（ａ）に示すように、印刷開始ボタン１０３の中央部に、ユーザが指を置きやすいように円形の窪みが設けられている。なお、当該円形の窪みには、ユーザが印刷開始ボタン１０３の中心Ｃａを認識できる印が表示されていてもよい。また、印刷開始ボタン１０３は、図３（ｂ）に示すように、円形の窪みが設けられていない、略長方形の形状に形成されていてもよい。
【００２２】
印刷開始ボタン１０３は、印刷部１０２の真上に配置されている。言い換えると、印刷部１０２は、印刷開始ボタン１０３の真下に配置されている。すなわち、印刷開始ボタン１０３の中心Ｃａと、印刷部１０２の中心Ｃｂと、を通る基準線Ｖは、下面１００ｂに直交する。従って、印刷開始ボタン１０３の中心Ｃａのｘ座標及びｙ座標は、印刷部１０２の中心Ｃｂのｘ座標及びｙ座標にそれぞれ一致する。従って、印刷開始ボタン１０３は、印刷部１０２の位置を表す案内手段に相当する。
【００２３】
また、印刷開始ボタン１０３の大きさは、印刷部１０２の大きさと同一の大きさである。具体的に、印刷開始ボタン１０３のｙ軸方向の長さＬａは、印刷部１０２のｙ軸方向の長さＬｂと同一の長さである。印刷開始ボタン１０３と印刷部１０２とは、基準線Ｖに沿った方向に見ると、印刷開始ボタン１０３が印刷部１０２を含むように重なり合っている。また、上述したように、印刷部１０２のｙ軸方向の長さＬｂは、一度の移動で印刷部１０２が印刷対象の画像を印刷できるｙ軸方向の範囲に相当する。すなわち、印刷開始ボタン１０３のｙ軸方向の長さＬａは、一度の移動で印刷部１０２が印刷対象の画像を印刷できるｙ軸方向の範囲を表している。
【００２４】
印刷装置１を用いて印刷を行う場合、ユーザは、まず、印刷開始ボタン１０３を目視しつつ、印刷装置１を移動させ、所望する位置を印刷開始位置として設定する必要がある。以下、所望する位置を印刷開始位置として設定する場合において印刷開始ボタン１０３が果たす機能を、図４及び図５を参照して説明する。具体的には、印刷媒体Ｍにおける位置Ａを印刷開始位置として設定することをユーザが所望する場合を例に説明する。
【００２５】
印刷時、ユーザは、筐体１００の下面１００ｂが印刷媒体Ｍに接触するように印刷装置１を載置する。これにより、下面１００ｂに配置された印刷部１０２は筐体１００によって隠されるものの、筐体１００の上面１００ａに配置された印刷開始ボタン１０３は、図４及び図５に示すように、依然としてユーザに目視できる。
【００２６】
ユーザは、印刷開始ボタン１０３を目視しつつ印刷装置１を移動させ、図４（ａ）に示すように、印刷開始ボタン１０３の中心Ｃａのｘ座標及びｙ座標と、印刷媒体Ｍにおける位置Ａのｘ座標Ｘａ及びｙ座標Ｙａと、がそれぞれ互いに一致するように載置する。上述したように、印刷開始ボタン１０３の中心Ｃａのｘ座標及びｙ座標は、印刷部１０２の中心Ｃｂのｘ座標及びｙ座標にそれぞれ一致するため、図５（ａ）に示すように、印刷部１０２のｘ座標及びｙ座標と、位置Ａのｘ座標Ｘａ及びｙ座標Ｙａと、も互いに一致することとなる。これによって、位置Ａが、印刷開始位置として設定される。この状態において、ユーザが印刷開始ボタン１０３を押下することで印刷開始を指示し、印刷装置１を印刷方向へ移動させると、図４（ｂ）及び図５（ｂ）に示すように、位置Ａを印刷開始位置として、印刷対象の画像であるテキスト「ＡＢＣＤＥ」が印刷される。
【００２７】
ユーザは、通常、印刷開始ボタン１０３に指を置いた状態で印刷装置１を把持して印刷媒体Ｍ上で移動させる。ユーザは、この状態において、あたかも印刷開始ボタン１０３に置いた指で位置Ａを指差し確認するかのような容易な操作を行うことによって、印刷媒体Ｍにおける位置Ａを印刷開始位置として直感的に設定できるのである。
【００２８】
また、上述したとおり、印刷開始ボタン１０３のｙ軸方向の長さＬａは、一度の移動で印刷部１０２が印刷対象の画像を印刷できるｙ軸方向の範囲を表している。このため、ユーザは、印刷開始ボタン１０３を目視して、一度の移動で印刷部１０２が印刷対象の画像を印刷できるｙ軸方向の範囲を把握しつつ印刷装置１を移動させることによって、ｙ軸方向の印刷位置を適切に設定できる。具体的に、印刷媒体Ｍがノートやレポート用紙等の罫線が印刷された媒体である場合、ユーザは、印刷開始ボタン１０３がｙ軸方向において罫線の間に収まるように印刷装置１を載置することで、印刷対象の画像が罫線の間に収まるように印刷位置を設定できる。
【００２９】
また、上述したとおり、印刷開始ボタン１０３は印刷部１０２の真上に配置されている。このため、ユーザが印刷開始を指示するために印刷開始ボタン１０３を押下すると、印刷開始ボタン１０３の真下に配置された印刷部１０２が押し下げられ、印刷媒体Ｍへ押しつけられる。これにより、印刷部１０２が印刷媒体Ｍから浮き上がってしまって印刷品質が低下することが抑制される。
【００３０】
印刷装置１は、図６に示すように、上述の各構成に加えて、制御部１０４と、印刷制御部１０５と、電源部１０６と、表示制御部１０７と、表示部１０８と、無線通信部１０９と、有線通信部１１０と、ＵＩ（User Interface）部１１１と、記憶部１１２と、を備える。
【００３１】
制御部１０４は、ＣＰＵ（Central Processing Unit）を備え、記憶部１１２に格納されたプログラム及びデータに従って各種処理を実行する。制御部１０４は、コマンド及びデータの伝送経路であるシステムバスを介して印刷装置１の各部に接続されており、印刷装置１全体を制御する。
【００３２】
印刷制御部１０５は、制御部１０４による制御に従って、印刷部１０２によるインクの吐出を制御する。具体的に、印刷制御部１０５は、ドライバＩＣ（Integrated Circuit）を備え、印刷部１０２が備えるヒータを、記憶部１１２に記憶された後述する印刷データに従って発熱駆動することによって、印刷部１０２にインクを吐出させる。
【００３３】
電源部１０６は、電源ＩＣ、電池又はバッテリ等の電源と、この電源を制御する電源制御回路と、を備え、制御部１０４による制御に従って、印刷装置１の各部へ電力を供給する。
【００３４】
表示制御部１０７は、制御部１０４による制御に従って、表示部１０８を制御する。
【００３５】
表示部１０８は、ＬＣＤ（Liquid Crystal Display）パネル等の表示デバイスを備え、表示制御部１０７による制御に従って、各種画像を表示する。
【００３６】
無線通信部１０９は、Ｂｌｕｅｔｏｏｔｈ（登録商標）モジュール又はＷＬＡＮ（Wireless Local Area Network）モジュール等の無線通信デバイスを備え、ＰＣ（Personal Computer）又はスマートフォン等の外部装置との間で無線通信を行って各種データを送受信する。
【００３７】
有線通信部１１０は、ＵＳＢ（Universal Serial Bus）ポート等の有線通信デバイスを備え、ＰＣ又はスマートフォン等の外部装置との間で有線通信を行って各種データを送受信する。
【００３８】
ＵＩ部１１１は、キーボード、マウス、ボタン、操作キー、スイッチ、タッチパッド又はタッチパネル等の入力デバイスを備え、ユーザによる入力操作を受け付ける。ＵＩ部１１１は、入力内容を表すデータを、制御部１０４へ供給する。
【００３９】
記憶部１１２は、何れも図示しないＲＡＭ（Random Access Memory）と、ＲＯＭ（Read Only Memory）と、ＲＡＭ及びＲＯＭを制御する制御回路と、を備え、各種プログラム及び各種データを記憶する。また、記憶部１１２は、記憶している各種プログラム及び各種データを、制御部１０４へ供給する。具体的に、ＲＡＭは、制御部１０４が各種処理を実行することによって生成したデータを、制御回路による制御に従って記憶する。また、ＲＡＭは、記憶しているデータを、制御回路による制御に従って、制御部１０４へ供給する。また、ＲＡＭは、制御部１０４のワークエリアとして機能する。すなわち、制御部１０４は、ＲＯＭに記憶されたプログラム又はデータをＲＡＭへ展開し、展開されたプログラム又はデータを参照して各種処理を実行する。ＲＯＭは、制御部１０４が各種処理を実行するために使用する各種プログラム及び各種データを記憶する。具体的に、ＲＯＭは、制御部１０４によって実行される、印刷装置１全体を制御するためのプログラムを記憶する。また、ＲＯＭは、フォントや文字サイズ等の印刷における各種設定を表すデータを記憶する。また、ＲＯＭは、印刷データを記憶する。印刷データは、印刷対象の画像を表すデータである。印刷データは、ＰＣ又はスマートフォン等の外部装置において、ユーザによる印刷内容の入力をキーボード等の入力手段によって受け付けることで生成される。印刷装置１は、この印刷データを、無線通信部１０９又は有線通信部１１０によって外部装置から取得し、ＲＯＭに記憶させる。
【００４０】
以下、上述の構成を有する印刷装置１が実行する印刷処理について、図７を参照して説明する。
【００４１】
印刷装置１は、印刷データを、ＰＣ又はスマートフォン等の外部装置から無線通信部１０９又は有線通信部１１０を用いて予め取得し、記憶部１１２が備えるＲＯＭに格納している。
【００４２】
ユーザは、印刷開始ボタン１０３を目視しつつ印刷装置１を把持して印刷媒体Ｍ上を移動させ、印刷媒体Ｍにおける所望の位置Ａのｘ座標Ｘａ及びｙ座標Ｙａと、印刷開始ボタン１０３の中心のｘ座標及びｙ座標と、をそれぞれ互いに一致するように載置することで、位置Ａを印刷開始位置として設定する。
【００４３】
この状態において、ユーザが印刷開始ボタン１０３を押下することで印刷開始を指示すると、制御部１０４は、図７のフローチャートに示す印刷処理を開始する。
【００４４】
印刷処理を開始すると、制御部１０４は、記憶部１１２が備えるＲＯＭに記憶された印刷データを、記憶部１１２が備えるＲＡＭに展開する（ステップＳ１０１）。次に、制御部１０４は、移動量検出部１０１が印刷装置１の移動量を検出したか否かを判定する（ステップＳ１０２）。移動量を検出していないと制御部１０４が判定すると（ステップＳ１０２；Ｎｏ）、処理はステップＳ１０２へ戻り、移動量の検出を待機する。ユーザが、印刷装置１を把持して印刷媒体Ｍ上を印刷方向へ移動させると、制御部１０４は、これに応答して、移動量を検出したと判定する（ステップＳ１０２；Ｙｅｓ）。制御部１０４は、検出した移動量と、ステップＳ１０１でＲＡＭに展開した印刷データと、に応じて印刷部１０２にインクを吐出させることによって印刷を実行する（ステップＳ１０３）。制御部１０４は、ステップＳ１０３でインクの吐出に用いた分の印刷データをＲＡＭから削除し（ステップＳ１０４）、印刷が完了したか否かを、印刷データがＲＡＭに残っているか否かを判定することによって判定する（ステップＳ１０５）。印刷が完了していないと制御部１０４が判定すると（ステップＳ１０５；Ｎｏ）、処理はステップＳ１０２へ戻る。制御部１０４は、印刷が完了したと判定するまでステップＳ１０２〜Ｓ１０５の処理を繰り返すことにより、印刷データを印刷媒体Ｍに印刷する。印刷が完了したと判定すると（ステップＳ１０５；Ｙｅｓ）、制御部１０４は、印刷処理を終了する。
【００４５】
以上説明したように、印刷装置１による印刷において、ユーザは、印刷開始ボタン１０３の中心Ｃａのｘ座標及びｙ座標と、所望の位置Ａのｘ座標Ｘａ及びｙ座標Ｙａと、がそれぞれ互いに一致するように印刷装置１を載置する容易な操作を行うことによって、印刷部１０２のｘ座標及びｙ座標と、位置Ａのｘ座標Ｘａ及びｙ座標Ｙａと、を一致させることができる。そのため、ユーザは、印刷媒体Ｍにおける位置Ａを印刷開始位置として直感的に設定できる。
【００４６】
また、ユーザは、印刷開始ボタン１０３を目視しつつ印刷装置１を載置することによって、印刷対象の画像のｙ軸方向における印刷位置を適切に設定できる。
【００４７】
また、印刷部１０２の真上に配置された印刷開始ボタン１０３が押下されることによって、印刷部１０２が印刷媒体Ｍへ押しつけられ、印刷部１０２が印刷媒体Ｍから浮き上がることによる印刷品質の低下が抑制される。
【００４８】
なお、上記第１実施形態において、印刷開始ボタン１０３の大きさは、印刷部１０２の大きさと同一の大きさであるものとして説明したが、これは一例に過ぎない。印刷開始ボタン１０３の大きさと印刷部１０２の大きさとは、ユーザがこれらの大きさが互いに同一であると認識する範囲内において、互いに異なってもよい。具体的に、上記第１実施形態において、印刷開始ボタン１０３のｙ軸方向の長さＬａと、印刷部１０２のｙ軸方向の長さＬｂと、が互いに同一であるものとして説明したが、印刷開始ボタン１０３のｙ軸方向の長さＬａと印刷部１０２のｙ軸方向の長さＬｂとは、ユーザがこれらの長さが互いに同一であると認識する範囲において、互いに異なっていてもよい。また、印刷開始ボタン１０３の大きさと印刷部１０２の大きさとが、ユーザがこれらの大きさが互いに同一であると認識する範囲内を超えて異なっていてもよい。この場合であっても、印刷開始ボタン１０３は印刷部１０２の真上に設けられているため、ユーザは、印刷開始ボタン１０３の中心Ｃａの位置のｘ座標及びｙ座標と、印刷媒体Ｍにおける所望の位置Ａのｘ座標Ｘａ及びｙ座標Ｙａと、がそれぞれ互いに一致するように印刷装置１を載置する容易な操作を行うことで、印刷媒体Ｍにおける位置Ａを印刷開始位置として直感的に設定できる。
【００４９】
また、上記第１実施形態において、印刷開始ボタン１０３と印刷部１０２とは、基準線Ｖに沿った方向に見ると、印刷開始ボタン１０３が印刷部１０２を含むように重なり合っているものとして説明した。しかし、これは一例に過ぎず、印刷開始ボタン１０３と印刷部１０２とは、互いの形状及び配置の異同に応じ、基準線Ｖに沿った方向に見て、印刷部１０２が印刷開始ボタン１０３を含むように重なり合っていてもよいし、印刷開始ボタン１０３と印刷部１０２とが互いに相手を含むように重なり合っていてもよい。
【００５０】
（第２実施形態）
上記第１実施形態では、印刷部１０２の真上に印刷開始ボタン１０３が配置されるものとして説明したが、これは一例に過ぎない。印刷部１０２の真上には、任意の構成を配置できる。以下、印刷部１０２の真上に、発光部１１３を備える印刷開始ボタン１１４が配置された印刷装置２について、図８〜図１０を参照して説明する。
【００５１】
印刷装置２は、印刷装置１と概ね同一の構成を備えているものの、図８に示すように、印刷開始ボタン１０３の代わりに発光部１１３を備えた印刷開始ボタン１１４が、印刷部１０２の真上に配置されている点で印刷装置１とは異なる。以下、印刷装置２について、印刷装置１との相違点を中心に説明する。
【００５２】
印刷開始ボタン１１４は、ユーザによる印刷開始の指示操作を受け付けるためのボタンである。印刷開始ボタン１１４の中心Ｃｃと、印刷部１０２の中心Ｃｂと、を通る基準線Ｖは、下面１００ｂに直交する。印刷開始ボタン１１４と印刷部１０２とは、基準線Ｖに沿った方向に見ると、印刷開始ボタン１１４が印刷部１０２を含むように重ね合わされている。印刷開始ボタン１１４の大きさは、印刷部１０２の大きさと同一の大きさである。具体的に、印刷開始ボタン１１４のｙ軸方向の長さＬｃは、印刷部１０２のｙ軸方向の長さＬｂと同一の長さである。なお、印刷開始ボタン１１４の中心Ｃｃには、ユーザが印刷開始ボタン１１４の中心であることが認識できるように印が表示されていてもよい。なお、後述する発光部１１３を構成する、複数の光源１１３Ａ〜１１３Ｌのいずれかが中心Ｃｃとなるようにそれぞれの光源１１３Ａ〜１１３Ｌが備えられていてもよい。具体的に、中心Ｃｃの役割を果たす光源は他の光源よりも大きく構成されているなど、中心Ｃｃであることが容易にユーザに認識される形状で構成されていてもよい。
【００５３】
印刷開始ボタン１１４は、発光部１１３を備えている。発光部１１３は、制御部１０４による制御に従って、印刷対象の画像の印刷時の大きさと、印刷対象の画像の印刷時の位置と、を表す態様で発光する。以下、発光部１１３について、図９を参照して説明する。
【００５４】
発光部１１３は、図９に示すように、ｙ軸方向に沿って直線状に配列された複数の光源１１３Ａ〜１１３Ｌを備えている。各光源１１３Ａ〜１１３Ｌは、例えばＬＥＤ（Light Emitting Diode）である。発光部１１３は、印刷幅Ｌｄと、印刷対象の画像のｙ軸方向の印刷位置と、に応じて光源１１３Ａ〜１１３Ｌの点灯を制御することで、印刷幅Ｌｄと、印刷対象の画像のｙ軸方向の印刷位置と、を表す態様で発光する。
【００５５】
以下、印刷部１０２が、ユーザがＵＩ部１１１を操作することで設定した印刷幅Ｌｄを有する印刷対象の画像を、ユーザがＵＩ部１１１を操作することで設定したｙ軸方向の印刷位置に印刷する場合を例に説明する。
【００５６】
制御部１０４は、ＵＩ部１１１から、ユーザが設定した印刷幅Ｌｄとｙ軸方向の印刷位置とを表す設定データを取得する。また、光源１１３Ａ〜１１３Ｌの発光部１１３上の位置を表す光源位置データが記憶部１１２のＲＯＭに格納されていて、制御部１０４は、記憶部１１２から、光源１１３Ａ〜１１３Ｌの発光部１１３上の位置を表す光源位置データを取得する。制御部１０４は、設定データと光源位置データとに基づいて、光源１１３Ａ〜１１３Ｌのうちの、印刷対象の画像の奥側端部Ｔｕと手前側端部Ｔｂとの間の距離範囲に属する、例えば光源１１３Ｄ〜光源１１３Ｊを特定する。発光部１１３は、図９に示すように、制御部１０４によって特定された光源１１３Ｄ〜１１３Ｊを点灯させる。
【００５７】
点灯された光源１１３Ｄ〜光源１１３Ｊは、ｙ軸方向に直線を成す。この直線の長さは、印刷幅Ｌｄをおおまかに表しており、この直線のｙ軸方向の位置は、印刷対象の画像のｙ軸方向の印刷位置をおおまかに表している。すなわち、発光部１１３は、制御部１０４による制御に従って、印刷幅Ｌｄと、印刷対象の画像のｙ軸方向の印刷位置と、をおおまかに表す態様で発光する。
【００５８】
印刷装置２を用いた印刷において、ユーザは、印刷開始ボタン１１４を目視しつつ、印刷装置２を移動させる。以下、印刷装置２を用いた印刷において印刷開始ボタン１１４が果たす機能について、図１０を参照して説明する。以下、印刷媒体Ｍにおける位置Ａを印刷開始位置として設定することをユーザが所望する場合を例に説明する。
【００５９】
印刷装置２を用いた印刷において、光源１１３Ｂ〜光源１１３Ｆが点灯している場合に、ユーザは、印刷開始ボタン１１４を目視しつつ印刷装置２を移動させ、図１０（ａ）に示すように、印刷開始ボタン１１４の光源１１３Ｆのｘ座標及びｙ座標と、印刷媒体Ｍにおける位置Ａのｘ座標Ｘａ及びｙ座標Ｙａと、がそれぞれ互いに一致するように載置する。すると、印刷部１０２による印刷位置のｙ軸方向の下側端部のｘ座標及びｙ座標と、位置Ａのｘ座標Ｘａ及びｙ座標Ｙａと、も互いに一致する。これによって、印刷媒体Ｍにおける位置Ａが、印刷開始位置として設定される。この状態において、ユーザが印刷開始ボタン１１４を押下することで印刷開始を指示し、印刷装置２を印刷方向へ移動させると、図１０（ｂ）に示すように、印刷媒体Ｍにおける位置Ａを印刷開始位置として、印刷対象の画像であるテキスト「ＡＢＣ」が印刷される。テキスト「ＡＢＣ」は、発光部１１３の発光の態様が表す印刷幅Ｌｄを有するように、発光部１１３の発光の態様が表すｙ軸方向の印刷位置に印刷される。
【００６０】
ユーザは、発光部１１３の発光の態様を目視して、印刷幅Ｌｄと、印刷対象の画像のｙ軸方向の印刷位置と、を把握しつつ印刷装置２を移動させて載置することによって、印刷対象の画像のｙ軸方向の印刷位置を適切に設定できる。
【００６１】
また、上述したとおり、印刷開始ボタン１１４は印刷部１０２の真上に配置されている。このため、ユーザが印刷開始を指示するために印刷開始ボタン１１４を押下すると、印刷開始ボタン１１４の真下に配置された印刷部１０２が押し下げられ、印刷媒体Ｍへ押しつけられる。これにより、印刷部１０２が印刷媒体Ｍから浮き上がってしまって印刷品質が低下することが抑制される。
【００６２】
なお、上記第２実施形態では、発光部１１３が複数の光源１１３Ａ〜１１３Ｌを備えるものとして説明したが、これは一例に過ぎず、より多くの数の光源により構成されていてもよい。また、発光部１１３は、電球等の任意の発光手段により構成されていてもよい。
【００６３】
なお、上記第２実施形態では、印刷対象の画像の主走査方向における長さＬｄをユーザが設定するものとして説明したが、これは一例に過ぎず、印刷装置２が、印刷対象の画像の印刷幅Ｌｄを設定してもよい。例えば、印刷対象の画像がテキストである場合、印刷装置２は、ユーザがＵＩ部１１１を操作することによって設定した文字装飾や文字フォントに応じて、印刷幅Ｌｄを設定することができる。
【００６４】
なお、上記第２実施形態において、印刷開始ボタン１１４の大きさは、印刷部１０２の大きさと同一の大きさであるものとして説明したが、これは一例に過ぎない。印刷開始ボタン１１４の大きさと印刷部１０２の大きさとは、ユーザがこれらの大きさが互いに同一であると認識する範囲内において、互いに異なってもよい。具体的に、上記第２実施形態において、印刷開始ボタン１１４のｙ軸方向の長さＬｃと、印刷部１０２のｙ軸方向の長さＬｂと、が互いに同一であるものとして説明したが、印刷開始ボタン１１４のｙ軸方向の長さＬｃと印刷部１０２のｙ軸方向の長さＬｂとは、ユーザがこれらの長さが互いに同一であると認識する範囲において、互いに異なっていてもよい。また、印刷開始ボタン１１４の大きさと印刷部１０２の大きさとが、ユーザがこれらの大きさが互いに同一であると認識する範囲内を超えて異なっていてもよい。この場合であっても、印刷開始ボタン１１４は印刷部１０２の真上に設けられているため、ユーザは、印刷開始ボタン１１４の発光部１１３の一端の位置のｘ座標及びｙ座標と、印刷媒体Ｍにおける所望の位置Ａのｘ座標Ｘａ及びｙ座標Ｙａと、がそれぞれ互いに一致するように印刷装置１を載置する容易な操作を行うことで、印刷媒体Ｍにおける位置Ａを印刷開始位置として直感的に設定できる。また、ユーザは、発光部１１３の発光の態様を目視して、印刷幅Ｌｄと、印刷対象の画像のｙ軸方向の印刷位置と、を把握しつつ印刷装置２を移動させて載置することによって、印刷対象の画像のｙ軸方向の印刷位置を適切に設定できる。
【００６５】
また、上記第１実施形態において、印刷開始ボタン１１４と印刷部１０２とは、基準線Ｖに沿った方向に見ると、印刷開始ボタン１１４が印刷部１０２を含むように重なり合っているものとして説明した。しかし、これは一例に過ぎず、印刷開始ボタン１１４と印刷部１０２とは、互いの形状及び配置の異同に応じ、基準線Ｖに沿った方向に見て、印刷部１０２が印刷開始ボタン１１４を含むように重なり合っていてもよいし、印刷開始ボタン１１４と印刷部１０２とが互いに相手を含むように重なり合っていてもよい。
【００６６】
（第３実施形態）
上記第１実施形態では、印刷部１０２の真上に印刷開始ボタン１０３が配置されるものとして説明した。また、上記第２実施形態では、印刷部１０２の真上に発光部１１３を有する印刷開始ボタン１１４が配置されるものとして説明した。しかし、これらは例に過ぎず、印刷部１０２の真上には、任意の構成を配置できる。以下、印刷部１０２の真上に表示部１１５が配置された印刷装置３について、図１１及び図１２を参照して説明する。
【００６７】
印刷装置３は、印刷装置１と概ね同一の構成を備えているものの、図１１に示すように、印刷開始ボタン１０３の代わりに表示領域を有する表示部１１５が印刷部１０２の真上に配置されている点で印刷装置１とは異なる。以下、印刷装置３について、印刷装置１との相違点を中心に説明する。
【００６８】
表示部１１５は筐体１００の上面１００ａに配置されている。表示部１１５は、印刷部１０２の真上を含む領域に設けられている。
【００６９】
表示部１１５は、制御部１０４による制御に従って、各種画像を表示する。具体的に、表示部１１５は、図１１（ａ）に示すように、第１画像Ｉａ、第２画像Ｉｂ、第３画像Ｉｃ及び第４画像Ｉｄを表示する。
【００７０】
第１画像Ｉａは、印刷部１０２の位置を表すために表示される画像であり、具体的には印刷部１０２の外形を表す画像である。第１画像Ｉａは、印刷部１０２の位置をユーザに示すものであり、第１の案内画像に相当する。第１画像Ｉａは、印刷部１０２の真上に表示される。言い換えると、印刷部１０２は、第１画像Ｉａの真下に配置されている。すなわち、第１画像Ｉａの中心Ｃｅと印刷部１０２の中心Ｃｂとを通る基準線Ｖは、下面１００ｂに直交する。従って、第１画像Ｉａの中心Ｃｅのｘ座標及びｙ座標は、印刷部１０２の中心Ｃｂのｘ座標及びｙ座標にそれぞれ一致する。第１画像Ｉａの大きさは、印刷部１０２の大きさと同一の大きさである。具体的に、第１画像Ｉａのｙ軸方向の長さＬｅは、印刷部１０２のｙ軸方向の長さＬｂと同一の長さである。第１画像Ｉａと印刷部１０２とは、基準線Ｖに沿った方向に見ると、印刷部１０２と第１画像Ｉａとが互いに相手を含むように重なり合っている。また、上述したように、印刷部１０２のｙ軸方向の長さＬｂは、一度の移動で印刷部１０２が印刷対象の画像を印刷できるｙ軸方向の範囲に相当する。すなわち、第１画像Ｉａのｙ軸方向の長さＬｅは、一度の移動で印刷部１０２が印刷対象の画像を印刷できるｙ軸方向の範囲を表している。なお、第１画像Ｉａの中心Ｃｅには、ユーザが第１画像Ｉａの中心であることが認識できるように印が表示されていてもよい。
【００７１】
制御部１０４は、記憶部１１２に予め記憶されている、第１画像Ｉａの表示位置及び表示サイズを表す表示データに基づいて、第１画像Ｉａを表示部１１５に表示する。
【００７２】
第２画像Ｉｂ〜第４画像Ｉｄは、印刷対象の画像の印刷時の大きさと、印刷対象の画像の印刷時の位置と、を表す画像であり、印刷時の大きさ及び位置をユーザに示す第２の案内画像に相当する。具体的に、第２画像Ｉｂは、印刷対象の画像を表す画像である。表示部１１５は、第２画像Ｉｂを、第２画像Ｉｂのｙ座標と、印刷対象の画像のｙ軸方向の印刷位置と、が互いに一致する位置に表示する。また、表示部１１５は、第２画像Ｉｂを、第２画像Ｉｂのｙ軸方向の長さと印刷幅Ｌｄとが互いに一致するように表示する。第３画像Ｉｃは、印刷対象の画像のｙ軸方向の上側端部の位置を表す画像である。また、第４画像Ｉｄは、印刷対象の画像のｙ軸方向の下側端部の位置を表す画像である。すなわち、ユーザは、第２画像Ｉｂ〜第４画像Ｉｄを目視することによって、印刷幅Ｌｄと、印刷対象の画像のｙ軸方向の印刷位置と、を把握できる。
なお、表示部１１５は上記のような画像を表示する態様に限るものではない。例えば、図１１（ｂ）に示すような第５画像Ｉｅを表示するようにしてもよい。第５画像Ｉｅは、第１画像Ｉａと同様の大きさを有し、第１画像Ｉａと同様の位置に表示されて、印刷部１０２の位置を示すとともに、第５画像Ｉｅにおける印刷媒体Ｍにおける印刷対象の画像のｙ軸方向の上側端部の位置と下側端部の位置との間の領域を、それ以外の領域と濃さや色等を変えた画像とされる。これにより、ユーザは、第５画像Ｉｅを目視することによって、印刷幅Ｌｄと、印刷対象の画像のｙ軸方向の印刷位置と、を把握できる。
【００７３】
以下、ユーザがＵＩ部１１１を操作することによって、印刷対象の画像のｙ軸方向の印刷位置及び印刷幅Ｌｄを設定する場合を例に説明する。制御部１０４は、ユーザが設定した印刷対象の画像のｙ軸方向の印刷位置及び印刷幅Ｌｄを表す設定データをＵＩ部１１１から取得する。制御部１０４は、表示部１１５に、第２画像Ｉｂ、第３画像Ｉｃ及び第４画像Ｉｄを、設定データが表すｙ軸方向の印刷位置及び印刷幅Ｌｄに応じて表示する。
【００７４】
印刷装置３を用いた印刷において、ユーザは、表示部１１５に表示された第１画像Ｉａ〜第４画像Ｉｄを目視しつつ印刷装置３を移動させ印刷開始位置を設定し、印刷を開始する。以下、印刷装置３を用いた印刷において表示部１１５に表示された第１画像Ｉａ〜第４画像Ｉｄが果たす機能について、図１２を参照して説明する。以下、印刷媒体Ｍにおける位置Ａを印刷開始位置として設定することをユーザが所望する場合を例に説明する。
【００７５】
印刷時、ユーザは、筐体１００の下面１００ｂが印刷媒体Ｍに接触するように印刷装置３を載置する。これにより、下面１００ｂに配置された印刷部１０２は筐体１００によって隠されるものの、筐体１００の上面１００ａに配置された表示部１１５に表示された第１画像Ｉａ〜第４画像Ｉｄは、図１２に示すように、依然としてユーザに目視できる。
【００７６】
ユーザは、表示部１１５に表示された第１画像Ｉａを目視しつつ印刷装置３を移動させ、図１２（ａ）に示すように、第１画像Ｉａにおける第４画像Ｉｄで示される位置のｘ座標及びｙ座標と、印刷媒体Ｍにおける位置Ａのｘ座標Ｘａ及びｙ座標Ｙａと、がそれぞれ互いに一致するように載置する。上述したように、第１画像Ｉａの中心Ｃｅのｘ座標及びｙ座標は、印刷部１０２の中心Ｃｂのｘ座標及びｙ座標にそれぞれ一致するため、印刷部１０２のｘ座標及びｙ座標と、印刷媒体Ｍにおける位置Ａのｘ座標Ｘａ及びｙ座標Ｙａと、も互いに一致する。これによって、印刷媒体Ｍにおける位置Ａが、印刷開始位置として設定される。この状態において、ユーザが印刷開始を指示し、印刷装置３を印刷方向へ移動させると、図１２（ｂ）に示すように、印刷媒体Ｍにおける位置Ａを印刷開始位置として、印刷対象の画像であるテキスト「ＡＢＣ」が印刷される。テキスト「ＡＢＣ」は、第２画像Ｉｂ〜第４画像Ｉｄが表す印刷幅Ｌｄを有するように、第２画像Ｉｂ〜第４画像Ｉｄが表すｙ軸方向の印刷位置に印刷される。
【００７７】
すなわち、ユーザは、第１画像Ｉａにおける第４画像Ｉｄで示される位置のｘ座標及びｙ座標と、印刷媒体Ｍにおける位置Ａのｘ座標Ｘａ及びｙ座標Ｙａと、がそれぞれ互いに一致するように印刷装置３を載置する容易な操作を行うことによって、印刷媒体Ｍにおける位置Ａを印刷開始位置として直感的に設定できる。
【００７８】
また、ユーザは、第２画像Ｉｂ〜第４画像Ｉｄを目視して、印刷幅Ｌｄ及び印刷対象の画像のｙ軸方向の印刷位置を把握しつつ印刷装置３を移動させることによって、ｙ軸方向の印刷位置を適切に設定できる。
【００７９】
なお、上記第３実施形態において、第１画像Ｉａの大きさは、印刷部１０２の大きさと同一の大きさであるものとして説明したが、これは一例に過ぎない。第１画像Ｉａの大きさと印刷部１０２の大きさとは、ユーザがこれらの大きさが互いに同一であると認識する範囲内において、互いに異なってもよい。具体的に、上記第３実施形態において、第１画像Ｉａのｙ軸方向の長さＬｅと、印刷部１０２のｙ軸方向の長さＬｂと、が互いに同一であるものとして説明したが、第１画像Ｉａのｙ軸方向の長さＬｅと印刷部１０２のｙ軸方向の長さＬｂとは、ユーザがこれらの長さが互いに同一であると認識する範囲において、互いに異なっていてもよい。また、第１画像Ｉａの大きさと印刷部１０２の大きさとが、ユーザがこれらの大きさが互いに同一であると認識する範囲内を超えて異なっていてもよい。この場合であっても、第１画像Ｉａは印刷部１０２の真上に配置されているため、ユーザは、第１画像Ｉａの中心Ｃｃの位置のｘ座標及びｙ座標と、印刷媒体Ｍにおける所望の位置Ａのｘ座標Ｘａ及びｙ座標Ｙａと、がそれぞれ互いに一致するように印刷装置３を載置する容易な操作を行うことで、印刷媒体Ｍにおける位置Ａを印刷開始位置として直感的に設定できる。
【００８０】
なお、上記第３実施形態において、表示部１１５は、第２画像Ｉｂを、第２画像Ｉｂのｙ軸方向の長さと印刷幅Ｌｄとが互いに一致するように表示するものとして説明したが、これは一例に過ぎない。第２画像Ｉｂのｙ軸方向の長さと印刷幅Ｌｄとは、ユーザがこれらの大きさが互いに同一であると認識する範囲内において、互いに異なってもよい。
【００８１】
なお、上記第３実施形態において、第１画像Ｉａと印刷部１０２とは、基準線Ｖに沿った方向に見ると、互いに相手を含むように重なり合っているものとして説明した。しかし、これは一例に過ぎず、第１画像Ｉａと印刷部１０２とは、互いの形状及び配置の異同に応じ、基準線Ｖに沿った方向に見て、第１画像Ｉａが印刷部１０２を含むように重なり合っていてもよいし、印刷部１０２が第１画像Ｉａを含むように重なり合っていてもよい。
【００８２】
なお、上記第３実施形態において、表示部１１５に重畳してタッチパネル等の入力デバイスを配置し、この入力デバイスにより、ユーザによる表示部１１５の押下を、ユーザによる印刷開始の指示操作として受け付けるようになっていてもよい。この形態によれば、印刷開始を指示するためにユーザが表示部１１５を押下すると、表示部１１５の真下に配置された印刷部１０２が押し下げられ、印刷媒体Ｍへ押しつけられる。これにより、印刷部１０２が印刷媒体Ｍから浮き上がってしまい印刷品質が低下することが抑制される。
【００８３】
なお、上記第３実施形態において、表示部１１５は、印刷部１０２の位置を表す第１画像Ｉａと、印刷対象の画像のｙ軸方向における印刷位置及び印刷幅Ｌｄを表す第２画像Ｉｂ〜第４画像Ｉｄと、の両方を表示するものとして説明した。しかし、これは一例に過ぎず、表示部１１５は、印刷部１０２の位置を表す画像と、印刷対象の画像のｙ軸方向における印刷位置及び印刷幅Ｌｄを表す画像と、のうちの何れか一方のみを表示してもよい。
【００８４】
なお、上記第３実施形態において、表示部１１５は、印刷対象の画像のｙ軸方向における印刷位置及び印刷幅Ｌｄを表す画像として、第２画像Ｉｂ〜第４画像Ｉｄを表示するものとして説明した。しかし、これは一例に過ぎず、表示部１１５は、第２画像Ｉｂと、第３画像Ｉｃ及び第４画像Ｉｄと、のうちの何れか一方のみを、印刷対象の画像のｙ軸方向における印刷位置及び印刷幅Ｌｄを表す画像として表示してもよい。
【００８５】
なお、第２画像Ｉｂ〜第４画像Ｉｄを表示する表示手段を、上記第１実施形態における印刷装置１に設けてもよい。
【００８６】
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【００８７】
上記第１実施形態では、案内手段として、印刷部１０２の真上に印刷開始ボタン１０３が配置されるものとして説明した。また、上記第２実施形態では、案内手段として、印刷部１０２の真上に発光部１１３を有する印刷開始ボタン１１４が配置されるものとして説明した。また、上記第３実施形態では、案内手段として表示部１１５が配置されるものとして説明した。しかし、これらは例に過ぎず、印刷部１０２の真上には、案内手段として、任意の構成を配置できる。例えば、マーク、突起又はインジケータ等の構成を、案内手段として、印刷部１０２の真上に配置するようにしてもよい。
【００８８】
また、上記第１〜第３実施形態では、微滴化したインクを印刷媒体Ｍへ吐出するインクジェット方式で印刷対象の画像を印刷媒体Ｍに印刷するものとして説明したが、これは一例に過ぎず、印刷装置１〜３は、印刷対象の画像を任意の方法で印刷できる。例えば、印刷装置１〜３は、発熱駆動されるサーマルヘッドを印刷部１０２の代わりに備え、このサーマルヘッドを用いた熱転写印刷によって印刷対象の画像を印刷してもよい。
【００８９】
また、上記第１〜第３実施形態において、印刷データは、無線通信部１０９又は有線通信部１１０によって外部装置から取得されるものとして説明したが、これは一例に過ぎず、印刷装置１〜３は、任意の方法で印刷データを取得できる。例えば、印刷装置１は、ユーザによる印刷内容の入力をＵＩ部１１１によって受け付けることによって印刷データを取得してもよい。
【００９０】
また、上記第１〜第３実施形態において、移動量検出部１０１は、レーザ式光学センサを用いて印刷装置１〜３の移動量を検出するものとして説明したが、これは一例に過ぎず、移動量検出部１０１は、任意の方法によって移動量を検出できる。例えば、移動量検出部１０１は、ＬＥＤ式光学センサを備え、ＬＥＤ光源から印刷媒体Ｍの表面へ光を照射し、印刷媒体Ｍ表面の凹凸により生じた影をイメージセンサで撮像して解析することによって印刷装置１〜３の移動量を検出してもよい。
【００９１】
また、上記第１〜第３実施形態において、印刷時、下面１００ｂが印刷媒体Ｍに接触するものとして説明したが、これは一例に過ぎない。印刷装置１〜３が車輪や脚部等の支持手段を備え、当該支持手段によって支持されつつ印刷媒体Ｍ上を移動する場合、下面１００ｂは当該支持手段によって、印刷媒体Ｍに対向するように支持され、印刷媒体Ｍに接触することなく印刷媒体Ｍ上を移動することもできる。
【００９２】
なお、本発明に係る機能を実現するための構成を予め備えた印刷装置として提供できることはもとより、プログラムの適用により、既存の情報処理装置等を、本発明に係る印刷装置として機能させることもできる。すなわち、本発明に係る印刷装置の各機能構成を実現させるためのプログラムを、既存の情報処理装置等を制御するＣＰＵ等が実行できるように適用することで、当該既存の情報処理装置等を本発明に係る印刷装置として機能させることができる。
【００９３】
なお、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【００９４】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【００９５】
（付記１）
上面と、前記上面に対向する下面とを有する筐体と、
前記筐体の前記下面に設けられ、印刷媒体に画像を印刷する印刷部と、
前記筐体の前記上面における前記印刷部の真上となる位置に配置されて、前記印刷部の位置を表す案内手段と、
を備えることを特徴とする印刷装置。
【００９６】
（付記２）
前記案内手段は、前記下面における前記印刷部の位置及び前記印刷部の大きさを表すように形成された案内部を有し、
前記案内部は、前記案内部の前記上面に沿った面での中心が前記印刷部の前記下面に沿った面での中心の真上となる位置に設けられていることを特徴とする付記１に記載の印刷装置。
【００９７】
（付記３）
前記案内部は、前記上面に配置されている、押しボタン、マーク、突起及びインジケータの何れかであることを特徴とする付記２に記載の印刷装置。
【００９８】
（付記４）
前記案内手段は、前記印刷部の長さ方向に沿って直線状に配列された複数の光源を有する発光部を備え、
前記発光部の前記複数の光源の各々は、前記画像の、前記印刷媒体における印刷時のサイズ及び印刷時の位置を表すように発光が制御されることを特徴とする付記１乃至３の何れか一つに記載の印刷装置。
【００９９】
（付記５）
前記案内手段は、前記下面における前記印刷部の位置及び前記印刷部の大きさを表す第１の案内画像を表示する表示部を有し、
前記第１の案内画像は、前記第１の案内画像の前記上面に沿った面での中心が前記印刷部の前記下面に沿った面での中心の真上となる位置に表示されることを特徴とする付記１に記載の印刷装置。
【０１００】
（付記６）
前記表示部は、前記画像の、前記印刷媒体における印刷時の大きさ及び印刷時の位置を表す第２の案内画像をさらに表示することを特徴とする付記５に記載の印刷装置。
【符号の説明】
【０１０１】
１，２，３…印刷装置、１００…筐体、１００ａ…上面、１００ｂ…下面、１００ｃ…第１開口部、１００ｄ…第２開口部、１０１…移動量検出部、１０２…印刷部、１０３，１１４…印刷開始ボタン、１０４…制御部、１０５…印刷制御部、１０６…電源部、１０７…表示制御部、１０８，１１５…表示部、１０９…無線通信部、１１０…有線通信部、１１１…ＵＩ部、１１２…記憶部、１１３…発光部、１１３Ａ〜１１３Ｌ…光源、Ａ…所望の位置、Ｃａ，Ｃｃ…印刷開始ボタンの中心、Ｃｂ…印刷部の中心、Ｃｄ…表示部の中心、Ｃｅ…第１画像の中心、Ｉａ…第１画像、Ｉｂ…第２画像、Ｉｃ…第３画像、Ｉｄ…第４画像、Ｉｅ…第５画像、Ｌａ，Ｌｃ…印刷開始ボタンのｙ軸方向の長さ、Ｌｂ…印刷部のｙ軸方向の長さ、Ｌｄ…印刷対象の画像の印刷幅、Ｌｅ…第１画像のｙ軸方向の長さ、Ｍ…印刷媒体、Ｔｕ…印刷対象の画像の奥側端部、Ｔｂ…印刷対象の画像の手前側端部、Ｖ…基準線、Ｘａ…所望の位置のｘ座標、Ｙａ…所望の位置のｙ座標
【図１】
2018051861.tif 000003
【図２】
2018051861.tif 000004
【図３】
2018051861.tif 000005
【図４】
2018051861.tif 000006
【図５】
2018051861.tif 000007
【図６】
2018051861.tif 000008
【図７】
2018051861.tif 000009
【図８】
2018051861.tif 000010
【図９】
2018051861.tif 000011
【図１０】
2018051861.tif 000012
【図１１】
2018051861.tif 000013
【図１２】
2018051861.tif 000014